(57)【要約】【課題】  軽量化とともに耐ねじれ・耐曲げ等の強度を向上し、雨水等の停留を改善し、押出形材の寸法精度で組み付けを可能として、製造コストの削減を図る。【解決手段】  ドア本体１１の縁部１１ｂに係合する溝１２ｄが長手方向に連続して形成された押出形材のドア枠材１２であって、溝１２ｄの外側となる一方の側壁部１２ｂには溝１２ｄと平行に連続する中空部１２ｈが設けられてなる。【選択図】  図３
2005113627.tif 000002
【特許請求の範囲】
【請求項１】
ドア本体の縁部に係合する溝が長手方向に連続して形成された押出形材のドア枠材であって、
前記溝の一方の側壁部には溝と平行に連続する中空部が設けられてなることを特徴とするドア枠材。
【請求項２】
前記溝の他方の側壁部には先端溝内側にテーパ状の導入面が設けられるとともに、前記溝の一方の側壁部には溝深さ方向中程に導入凹部が設けられてなることを特徴とする請求項１記載のドア枠材。
【請求項３】
前記溝の他方の側壁部には前記ドア本体を固定するためのリベット穴が設けられ、前記溝の一方の側壁部には、前記リベット穴と対向する位置に、前記中空部と連通する排水穴が設けられてなることを特徴とする請求項１または２記載のドア枠材。
【請求項４】
請求項１から３のいずれか記載のドア枠材がドア本体に係合されてなることを特徴とするドア。
【発明の詳細な説明】
【技術分野】
【０００１】
本発明は、ドア枠材に係り、トラック、バンやウイングタイプの運搬車，冷凍車，海上コンテナ等に組み込まれ、アルミ押出し形材からなる複数の部材を相互に連結した構造の荷役用の観音扉やドアに用いて好適な技術に関する。
【背景技術】
【０００２】
トラックのバン車やウイング車，海上コンテナ等には、荷物の積み卸しに使用される荷役用観音扉が設けられている。従来の観音扉は、たとえばトラックの後部に設けられるもので、左右の扉を車体側のフレームに旋回自在に取り付けている。
この扉（ドア）としては、特許文献１，２のようにアルミの中空部材を並べて係合したドア本体とこのドア本体の周囲に取り付けられた枠体とを有する構造のものが知られている。
【特許文献１】特開平０８−３１０２４６号公報
【特許文献２】特開平１１−２２９７２４号公報
【発明の開示】
【発明が解決しようとする課題】
【０００３】
しかし、上記のような構造のドアでも雨水等が溜まる部分があり、これを改善したいという要求があった。
また、ドアをアルミニウム合金製の押出部材からなる中空部材などで構成して軽量化を図っているが、さらなる軽量化を求められているのが現状である。
さらに、荷役用のトラック等では、載置した荷物等が衝突した際の衝撃などによって、ドアに捻れ荷重がかかったり、ドア開閉時の衝撃などで変形する可能性があるため、さらなる強度を要求されている。
しかも、軽量化と高強度との要求を同時に満たすとともに、製造コストを抑えられ、外部の美観が突起物などで損なわれないものが求められている。
【０００４】
本発明は、上記の事情に鑑みてなされたもので、以下の目的を達成しようとするものである。
１．さらなる軽量化と、耐ねじれ、耐曲げ等の強度の向上を図ること。
２．押出形材の寸法精度で製造コストを低減可能とすること。
３．雨水等の停留を改善すること。
４．リベット穴と排水穴とを同一工程で開ける等製造コストの削減を図ること。
【課題を解決するための手段】
【０００５】
（１）  ドア本体の縁部に係合する溝が長手方向に連続して形成された押出形材のドア枠材であって、
前記溝の外側となる一方の側壁部には溝と平行に連続する中空部が設けられてなることを特徴とするドア枠材。
（２）  前記溝の内側となる他方の側壁部には先端溝内側にテーパ状の導入面が設けられるとともに、前記溝の外側となる一方の側壁部には溝深さ方向中程に導入凹部が設けられてなることを特徴とする前項１記載のドア枠材。
（３）  前記溝の内側となる他方の側壁部には前記ドア本体を固定するためのリベット穴が設けられ、前記溝の外側となる一方の側壁部には、前記リベット穴と対向する位置に、前記中空部と連通する排水穴が設けられてなることを特徴とする前項１または２記載のドア枠材。
（４）  前項１から３のいずれか記載のドア枠材がドア本体に係合されてなることを特徴とするドア。
【０００６】
本発明は、中空状のアルミニウム合金押出形材を組み合わせたドア本体の周縁の縁部に対して係合するための溝が長手方向に連続して形成されたアルミニウム合金押出形材のドア枠材であって、長手方向と直交する断面形状が略μ字状とされてμ字上側に前記溝が形成され、前記溝の外側となる一方の側壁部には溝と平行に連続する中空部が設けられてなることにより、ドア周辺に位置する外側側壁部において、ドア周辺形状に沿ってパイプ状（管状）の中空部が形成され、ドアにかかる荷重に対して変形しないか変形量を小さくするように耐ねじれ・耐曲げ強度を向上することができるとともに、同一強度を得ようとした場合、中空部がない構造に比べて軽量化を図ることができる。
ここで、外側とは、ドアを閉塞した場合に、ドアの設けられた載荷空間等に対する外側を意味する。
【０００７】
本発明において、前記溝の内側となる他方の側壁部には先端溝内側に溝の幅寸法が大きくなるようにテーパ状の導入面が設けられるとともに、前記溝の外側となる一方の側壁部には溝深さ方向中程に導入凹部が設けられてなることにより、押出形材から形成されるドア枠材において、押出成形によって製造したドア枠材の寸法精度のままで、ドア本体とドア枠材とを組み付ける際に、導入面によってドア本体周縁部を前記溝内位置に挿入しやすくすることができるとともに、導入凹部によって、外側となる一方の側壁部の溝内側にドア本体が当接して固定位置まで挿入することを容易にすることができる。また、この導入凹部がドア枠材長手方向全長にわたって設けられることにより、ドア本体およびドア枠材に流入した雨水等を速やかに外部に排出することができるようになる。
【０００８】
本発明は、前記溝の内側となる他方の側壁部には前記ドア本体を固定するためのリベット穴が設けられ、前記溝の外側となる一方の側壁部には、前記リベット穴と対向する位置に、前記中空部と連通する排水穴が設けられてなることにより、前記溝の両側壁部を貫通するように前記溝の内側となる他方の側壁部から一方の側壁部に向けて穴開けする工程のみで前記リベット穴と前記排水穴とを設けることが可能となり製造工程を少なくし手作業効率を向上し、製造コストを低減することができるとともに、ドア本体およびドア枠材に流入した雨水等を速やかに外部に排出することが可能となる。
【０００９】
また、本発明のドアにおいて、前記ドア枠材がドア本体に係合されてなる手段を採用することにより、製造コストの削減を図り、さらなる軽量化と、耐ねじれ、耐曲げ等の強度の向上を図り、押出形材の寸法精度で製造コストを低減可能とし、雨水等の停留を改善することのできるドアを提供することが可能となる。
【発明の効果】
【００１０】
本発明によれば、ドア本体の縁部に対して係合するための溝が長手方向に連続して形成され、前記溝の外側となる一方の側壁部には溝と平行に連続する中空部が設けられてなることにより、ドア周辺に位置する外側側壁部において、耐ねじれ・耐曲げ強度を向上することができるとともに、中空部がない構造に比べて軽量化を図ることができ、また、前記溝の内側となる他方の側壁部における先端溝内側に設けられたテーパ状の導入面と、前記溝の外側となる一方の側壁部における溝深さ方向中程に設けられた導入凹部とにより、押出成形によって製造したドア枠材の寸法精度のままでも、ドア本体とドア枠材とを組み付ける際に、ドア本体周縁部を前記溝内位置に挿入固定することを容易にすることができ、前記溝の内側となる他方の側壁部に設けられた前記ドア本体を固定するためのリベット穴と、前記溝の外側となる一方の側壁部に前記リベット穴と対向する位置に前記中空部と連通するよう設けられた排水穴とにより、前記溝の両側壁部を貫通するように前記溝の内側となる他方の側壁部から一方の側壁部に向けて穴開けする工程のみで前記リベット穴と前記排水穴とを設けることが可能となり製造工程を少なくし、製造コストを低減することができるとともに、ドア本体およびドア枠材に流入した雨水等を速やかに外部に排出することができるという効果を奏することができる。
【発明を実施するための最良の形態】
【００１１】
以下、本発明に係るドア枠材およびドアの一実施形態を、図面に基づいて説明する。
図１は、本実施形態におけるドアの一部を示す正面図であり、図において、符号１は、トラックの荷台に設けられた荷物室用のドアである。
【００１２】
本実施形態のドア１は、アルミニウム合金押出形材からなる中空状のドア部材１１ａを複数組み合わせた略矩形のドア本体１１と、このドア本体１１四辺に位置するドア枠材１２，１３とが組み合わされた構造とされ、このドア１は図示しない車体後部に取り付けるものとされる。アルミ押出し形材としては、アルマイト処理等の化成処理を施した６０００系のアルミニウム合金等が使用される。車体からドア１を取り外した状態を示す図１の例では、ドア本体１１が７本のドア部材１１ａ，１１ａを接合して組み立てられており、このドア本体１１は、ほぼ等厚の板状となっている。
【００１３】
ドア１には、図示しないロック機構が内蔵されており、ロック機構としては、従来と同様に操作部によってロッドを回転させて車体側の係止突起に係合又は離脱させる機構が採用される。このロック機構としては、電動式のものを使用することも可能である。ロック機構の操作部は図示しない開口窓から覗いているようにできる。ドア部材１１は、適宜の箇所で厚み方向がリブによって接続された中空断面をもち、両側に係合突起を備え、係合突起は、ドア部材の長手方向、すなわち図１の上下方向に延びている。
【００１４】
図２に図１のＡ部の拡大図を示す。また、図３に図２のIII−III矢視断面図を示す。
ドア枠材１２が、ドア本体１１の図１における上下辺に設けられ、ドア枠材１３が、ドア本体１１の図１における左右辺に設けられでいる。ドア枠材１２とドア枠材１３とが当接した状態となるドア本体１１の角部では、図２に示すように、それぞれドア枠材１２，１３の長手方向と４５°を為すように端面１２ａ、１３ａが形成されている。
【００１５】
ここで、ドア枠材１２，１３は、略同一の断面形状を有するものとされるため、図２，図３に基づいてドア本体１１の下側に設けられたドア枠材１２について説明をする。
【００１６】
ドア枠材１２は、アルミニウム合金押出形材であって、長手方向と直交する断面形状が略μ字状とされて、図３におけるμ字上側には、ドア１を閉めたときの貨物室（荷台）の外側となる外側側壁部（一方の側壁部）１２ｂと、同内側となる内側側壁部（他方の側壁部）１２ｃとによって溝１２ｄが形成され、溝１２ｄの底部１２ｅよりも図３におけるμ字下側には、外側側壁部１２ｂを下側に延長した状態として板状の外合部１２ｆが形成されている。
外側側壁部１２ｂと内側側壁部１２ｃとは略平行な状態に底部１２ｅから立設され、この外側側壁部１２ｂと内側側壁部１２ｃとの間の距離はドア本体１１の厚み寸法と略等しく設定され、溝１２ｄが、ドア本体１１の周縁部（縁部）１１ｂに対して係合可能とされている。
【００１７】
外側側壁部１２ｂは、上端部外側にドア本体１１外側表面１１ｃに向かうようにテーパ面１２ｇが設けられ、この外側側壁部１２ｂには、ドア枠材１２の全長にわたって溝１２ｄと平行に連続する中空部１２ｈが設けられる。この中空部１２ｈは、外側側壁部１２ｂの断面形状と略同じ断面形状を有するものとされる。
【００１８】
外側側壁部１２ｂの溝１２ｄ内側面には、ドア部材１２の全長にわたって溝深さ方向の中程位置に導入凹部１２ｊが設けられる。この導入凹部１２ｊは後述するようにドア本体１１をドア枠材１２に組み付ける際に、ドア本体１１の周縁部１１ｂが外側側壁部１２ｂに当接しても挿入可能となる寸法上の逃げを形成するとともに、外側側壁部１２ｂ部分の軽量化を図るものである。
外側側壁部１２ｂの厚み寸法は、底部１２ｅ側の基端部で２〜３ｍｍ程度とされるとともに、中空部１２ｈを囲む部分のアルミニウム合金の厚さ寸法は、１．２〜１．５ｍｍ程度に設定される。また内側側壁部１２ｃの厚み寸法は底部１２ｅ側の基端部で２〜３ｍｍ程度とされる
【００１９】
内側側壁部１２ｃには、先端溝内側に溝の幅寸法が大きくなるようにテーパ状の導入面１２ｋが設けられる。
また、内側側壁部１２ｃには、ドア本体１１を固定するためのリベット穴１２ｍが溝深さ方向中程に設けられる。このリベット穴１２ｍは、図２に示すように、各ドア部材１１ａをドア枠材１２に固定するために、ドア枠材１２の全長にわたって複数設けられる。また、各リベット穴１２ｍと、ドア本体１１に開けられたリベット穴１１ｍとは、ドア本体１１とドア枠材１２との固定のためにリベット１５が設けられる。
【００２０】
外側側壁部１２ｂには、溝１２ｄ内でリベット穴１２ｍと対向する位置に、それぞれ中空部１２ｈと連通する排水穴１２ｎが設けられる。排水穴１２ｎとリベット穴１２ｍとは同径に設定される。
底部１２ｅの下側および外合部１２ｆの内側（図３で右側）には、パッキン１６を取り付けるための取付部１２ｐ，１２ｑ，１２ｒが形成されている。シール用パッキン１６は、ドア１を閉じた状態で車体側フレームの表面に押し当てられる。これにより、車体側に対してドア１が密接する。
【００２１】
本実施形態のドア枠材１２，１３およびドア１では、ドア本体１１の周縁部１１ｂに対して係合するための溝１２ｄが長手方向に連続して形成されたアルミニウム合金押出形材とされ、溝１２ｄの外側側壁部１２ｂに中空部１２ｈが設けられてなることにより、ドア１周辺に位置する外側側壁部１２ｂにおいて、ドア１周辺形状に沿ってパイプ状の構造が形成されることになるため、ドア１にかかる荷重に対して変形しないか変形量を小さくするように耐ねじれ・耐曲げ強度を向上することができる。また、同一強度を得ようとした場合、中空部１２ｈがない構造に比べて軽量化を図ることができる。
【００２２】
また、内側側壁部１２ｃに導入面１２ｋが設けられるとともに、外側側壁部１２ｂに導入凹部１２ｊが設けられてなることにより、ドア本体１１とドア枠材１２とを組み付ける際に、導入面１２ｋによってドア本体１１の周縁部１１ｂを溝１２ｄ内部位置に挿入しやすくすることができるとともに、導入凹部１２ｊによって、外側側壁部１２ｂにドア本体１１が当接しても寸法に逃げを有することができるため、ドア本体１１を固定位置まで挿入することを容易にすることができる。このため、押出成形によって製造したドア枠材１２の寸法精度のままで、ドア本体１１を固定位置まで挿入することを容易にして、ドア１の製造工程を少なくし手作業効率を向上し、製造コストを低減することができる。また、この際、図４に示すように、ドア本体１１を挿入する前に内側側壁部１２ｃにシール材１８を塗布することで、ドア本体１１とドア枠材１２との間で、密閉性を維持することができる。
同時に、この導入凹部１２ｊがドア枠材１２長手方向全長にわたって設けられることにより、ドア本体１１およびドア枠材１２に流入した雨水等を速やかに外部に排出することができるようになる。
【００２３】
また、外側側壁部１２ｂに両端で外部に開口した中空部１２ｈが設けられるとともに、、外側側壁部１２ｂに中空部１２ｈと連通する排水穴１２ｎが複数設けられたことにより、ドア枠材１２内部に流入した雨水等をこれら、排水穴１２ｎ・中空部１２ｈを通して容易に外部に排出することができる。
また、内側側壁部１２ｃのリベット穴１２ｍと外側側壁部１２ｂの排水穴１２ｎとがそれぞれ溝１２ｄ内の対向する位置に設けられたことにより、図５に示す穴開け工程前の状態から、穴開け工程として、図４に矢印Ｂで示すように、溝１２ｄの両側壁部１２ｂ，１２ｃを貫通するように内側側壁部１２ｃ側から外側側壁部１２ｂに向けてドリル等の穿孔手段により穴開けする工程のみでリベット穴１２ｍと排水穴１２ｎとを同時に設けることが可能となり、製造工程を少なくし手作業効率を向上し、製造コストを低減することができる。
【００２４】
なお、ドア枠材１３においても、上記と同様の効果を奏することが可能であるため、ドア１全周において、軽量化とともに耐ねじれ・耐曲げ等の強度を向上し、雨水等の停留を改善し、押出形材の寸法精度で組み付けを可能として、製造コストの削減を図ることができる。
【産業上の利用可能性】
【００２５】
本発明の活用例として、荷物室のあるトラック以外にも、上部の開放された荷台を有するトラックの後部扉、バンやウイングタイプの運搬車，冷凍車，海上コンテナ等に組み込まれ、荷役用の観音扉や片開きのドア等に適用することができる。
【図面の簡単な説明】
【００２６】
【図１】本発明に係るドアの一実施形態を示す正面図である。
【図２】図１におけるドアのＡ部拡大図である。
【図３】図２におけるドア枠材のIII−III断面を示す断面矢視図である。
【図４】本発明に係るドア枠材の穴開け工程後を示す断面図である。
【図５】本発明に係るドア枠材の穴開け工程前を示す断面図である。
【符号の説明】
【００２７】
１…ドア、１１…ドア本体、１１ａ…ドア部材、１１ｂ…周縁部、１１ｃ…外側表面、１１ｍ…リベット穴、１２，１３…ドア枠材、１２ａ，１３ａ…端面、１２ｂ…外側側壁部、１２ｃ…内側側壁部、１２ｄ…溝、１２ｅ…底部、１２ｆ…外合部、１２ｇ…テーパ面、１２ｈ…中空部、１２ｊ…導入凹部、１２ｋ…導入面、１２ｍ…リベット穴、１２ｎ…排水穴、１２ｐ，１２ｑ，１２ｒ…取付部、１５…リベット、１６…パッキン、１８…シール材
【図１】
2005113627.tif 000003
【図２】
2005113627.tif 000004
【図３】
2005113627.tif 000005
【図４】
2005113627.tif 000006
【図５】
2005113627.tif 000007